(57)【要約】【課題】  短時間で、浮きが発生している部分に対しては浮きかぶりを確実に除去し、浮きが発生していない部分に対しては再現を犠牲にすること無く地肌除去を行うことができる画像処理装置を提供する。【解決手段】  地肌除去を行う画像処理装置６は、入力画像を所定の領域に分割し、該各分割した領域に応じた地肌レベルを検出する地肌レベル検出部６２と、各地肌レベルに基づいて各分割した領域に対して地肌除去を行う地肌除去部６４と、地肌レベル検出部６２で分割する領域を設定する領域設定部７１を備える。また、地肌レベル検出部６２は、分割した領域の境界部分の地肌レベルに対して補間処理を行う。これにより、浮きが発生している部分に対しては浮きかぶりを確実に除去し、浮きが発生していない部分に対しては薄い文字、絵柄の再現を犠牲にすること無く地肌除去を行うことができる。【選択図】          図７
2005197982.tif 000002
【特許請求の範囲】
【請求項１】
地肌除去を行う画像処理装置において、
入力画像を所定の領域に分割し、該各分割した領域に応じた地肌レベルを検出する地肌レベル検出部と、
前記各地肌レベルに基づいて前記各分割した領域に対して地肌除去を行う地肌除去部とを備えることを特徴とする画像処理装置。
【請求項２】
前記地肌レベル検出部は、前記分割した領域の境界部分の地肌レベルに対して補間処理を行うことを特徴とする請求項１記載の画像処理装置。
【請求項３】
前記画像処理装置は更に、前記地肌レベル検出部で分割する領域を設定する領域設定部を備えることを特徴とする請求項１または請求項２記載の画像処理装置。
【請求項４】
地肌除去を行う画像処理方法において、
入力画像を所定の領域に分割し、該分割した各領域に応じた地肌レベルを検出する地肌レベル検出ステップと、
前記各地肌レベルに基づいて前記各分割した領域に対して地肌除去を行う地肌除去ステップとを有することを特徴とする画像処理方法。
【請求項５】
前記画像処理装置は更に、前記分割した領域の境界部分の地肌レベルに対して補間処理を行うステップを有することを特徴とする請求項４記載の画像処理方法。
【請求項６】
前記画像処理方法は更に、前記地肌レベル検出ステップで分割する領域を設定する領域設定ステップを有することを特徴とする請求項４または請求項５記載の画像処理方法。
【発明の詳細な説明】
【技術分野】
【０００１】
本発明は、画像処理装置および画像処理方法に関する。
【背景技術】
【０００２】
従来、複写機やＦＡＸ等の画像記録装置では、通常の白地の用紙を用いた原稿だけでなく例えば新聞や藁半紙、再生紙、色紙等、様々な用紙を用いた原稿を読み取っている。このように通常の用紙を用いていない原稿は、地肌の濃度が高いため、ＣＣＤセンサ等の原稿読取手段で読み取って、その画像データをそのまま出力すると、再現された原稿は地肌が出て汚いものとなってしまう。
【０００３】
また、自動原稿送り装置等が搭載された原稿読み取り装置では、原稿をプラテンクッションの代わりに原稿搬出ローラおよびベルトでおさえるため、プラテンクッションのように原稿全面を均一に押さえることが出来ず、原稿の状態によっては数ｍｍの原稿浮きが発生する。原稿が浮いた部分はかぶりとしてコピー上に再現された原稿は地肌が出て汚いものとなってしまう。このため、読み取った原稿の画像から地肌となる画像データを検出し、その画像データを除去することで地肌に対する原稿画像を鮮明に出力できる画像処理装置として以下のようなものが提案されている。
【０００４】
特許文献１記載の装置は、プリスキャンで原稿全面の読み込み情報から濃度分布のヒストグラムを作成してピークを検出し、これに基づき地肌除去の閾値を決定し、地肌レベルにオフセットを加えた分未満の濃度の画素をカットするというものである。
【０００５】
また、特許文献２記載の地肌除去装置は、入力されたディジタル画像信号のライン毎に画素値をサンプリングし、各ライン毎にサンプリングされた値の平均値を求め、求めた平均値をそのラインの地肌濃度値としてその地肌濃度値に所定のオフセットを加えた閾値を用いてライン毎に地肌を除去するので、プリスキャンを必要とせず、高速な地肌除去が可能になるというものである。
【０００６】
また、特許文献３記載の装置は、原稿を引き込む前にいったん自動原稿送り装置のベルトのスキャンを行い、ベルト面の反射光の分布から浮き量を推定し、この浮き量に応じてコピー時に補正を行う。これにより、自動原稿送り装置で複写をおこなう際、自動原稿送り装置のベルトに浮きが発生する場合であっても、原稿を十分押さえることができるので、原稿が浮くことにより発生するかぶりを解決できるというものである。
【０００７】
また、特許文献４記載の装置は、原稿をプリスキャンし、それから得られた原稿の輝度分布と、あらかじめ設定した輝度とプラテン面からの浮きのデータから原稿の３次元形状を予測し、予測した３次元形状よりひずみの補正、かぶりの補正を行うことにより、ブック原稿等の原稿浮きによる出力画像のひずみ、かぶりを解決するというものである。
【０００８】
【特許文献１】特開平４−３７２５８号公報
【特許文献２】特開平６−３１１３５９号公報
【特許文献３】特開平１１−１５５０７２号公報
【特許文献４】特開平６−２１７０９０号公報
【発明の開示】
【発明が解決しようとする課題】
【０００９】
しかしながら、上記従来装置では以下のような問題が生じている。図１は、読取装置で読み取る原稿画像を示す図である。図１に示す原稿画像には、中央付近に濃度の異なる文字列「薄い文字」が三段階に印字されている。図２は、原稿浮きが発生しやすいエリアを説明するための図である。図２に示すように、原稿の浮きは原稿端部に発生する。図３および図４は、従来技術における不具合を説明するための図である。従来の全面で地肌検出をする技術では、全体の面積に対して端部等のカブリ部の面積が小さいため、結果として端部のカブリは地肌として反映されず地肌除去をおこなっても、図３に示すように、薄い文字はほぼ再現できているものの、カブリが除去されないままであった。
【００１０】
このため、特許文献１および２記載の装置では、検出した地肌レベルに対し、かぶり部分を飛ばすことが可能な分のマージン（オフセット）を加え、かぶりを除去する方式をとっているが、この方式では検出した地肌にかぶり分のマージンを加えている為、図４に示すように、原稿の薄い文字、絵柄等もかぶりと一緒に飛ばされ再現できない不具合が発生していた。
【００１１】
また、特許文献３記載の装置では、原稿の浮きかぶり量を直接検出せず、自動原稿送り装置のベルトの浮き量からかぶりを取り除くための補正をかけているため、自動原稿送り装置のベルト浮き量は原稿の浮き量よりも大きくなってしまい、実際に原稿で発生している浮きかぶりよりも大きな補正を行ってしまうという問題がある。さらに原稿スキャンの前に自動原稿送り装置のベルトのスキャン動作が必要となり、生産性の悪化を招いてしまう。
【００１２】
また、特許文献４記載の装置では、輝度分布から原稿の３次元形状を予測するため煩雑な処理が必要となり、処理時間が増大するという問題がある。
【００１３】
そこで、本発明は、上記問題点に鑑みてなされたもので、短時間で、浮きが発生している部分に対しては浮きかぶりを確実に除去し、浮きが発生していない部分に対しては再現を犠牲にすること無く地肌除去を行うことができる画像処理装置および画像処理方法を提供することを目的とする。
【課題を解決するための手段】
【００１４】
上記課題を解決するために、本発明の画像処理装置は、請求項１に記載のように、地肌除去を行う画像処理装置において、入力画像を所定の領域に分割し、該各分割した領域に応じた地肌レベルを検出する地肌レベル検出部と、前記各地肌レベルに基づいて前記各分割した領域に対して地肌除去を行う地肌除去部とを備えることを特徴とする。
【００１５】
請求項１記載の発明によれば、プリスキャン方式、プリスキャンレス方式を問わず、原稿の地肌レベルを検出するエリアを原稿浮きが発生する部分、発生しない部分に分割し、それぞれのエリアで地肌レベルの検出を行い、検出したレベルに従い地肌の除去を行うことにより、短時間で、浮きが発生している部分に対しては浮きかぶりを確実に除去し、浮きが発生していない部分に対しては薄い文字、絵柄の再現を犠牲にすること無く地肌除去を行うことができる。
【００１６】
また、本発明は、請求項２に記載のように、請求項１記載の画像処理装置において、前記地肌レベル検出部は、前記分割した領域の境界部分の地肌レベルに対して補間処理を行うことを特徴とする。請求項２記載の発明によれば、地肌除去後の出力画像が不連続となることを防止できる。
【００１７】
また、本発明は、請求項３に記載のように、請求項１または請求項２記載の画像処理装置において、更に、前記地肌レベル検出部で分割する領域を設定する領域設定部を備えることを特徴とする。請求項３記載の発明によれば、所望の領域に入力画像を分割することができる。
【００１８】
また、本発明の画像処理方法は、請求項４に記載のように、地肌除去を行う画像処理方法において、入力画像を所定の領域に分割し、該分割した各領域に応じた地肌レベルを検出する地肌レベル検出ステップと、前記各地肌レベルに基づいて前記各分割した領域に対して地肌除去を行う地肌除去ステップとを有することを特徴とする。
【００１９】
請求項４記載の発明によれば、プリスキャン方式、プリスキャンレス方式を問わず、原稿の地肌レベルを検出するエリアを原稿浮きが発生する部分、発生しない部分に分割し、それぞれのエリアで地肌レベルの検出を行い、検出したレベルに従い地肌の除去を行うことにより、短時間で、浮きが発生している部分に対しては浮きかぶりを確実に除去し、浮きが発生していない部分に対しては薄い文字、絵柄の再現を犠牲にすること無く地肌除去を行うことができる。
【００２０】
また、本発明は、請求項５に記載のように、請求項４記載の画像処理方法において、更に、前記分割した領域の境界部分の地肌レベルに対して補間処理を行うステップを有することを特徴とする。請求項５記載の発明によれば、地肌除去後の出力画像が不連続となることを防止できる。
【００２１】
また、本発明は、請求項６に記載のように、請求項４または請求項５記載の画像処理方法において、更に、前記地肌レベル検出ステップで分割する領域を設定する領域設定ステップを有することを特徴とする。請求項６記載の発明によれば、所望の領域に入力画像を分割することができる。
【発明の効果】
【００２２】
本発明によれば、短時間で、浮きが発生している部分に対しては浮きかぶりを確実に除去し、浮きが発生していない部分に対しては再現を犠牲にすること無く地肌除去を行うことができる画像処理装置および画像処理方法を提供できる。
【発明を実施するための最良の形態】
【００２３】
以下、本発明を実施するための最良の形態について実施例を用いて説明する。
【実施例】
【００２４】
図５は、本実施例に係るコピー機の外観斜視図である。図５に示すように、本実施例に係るコピー機１は、操作指示部２、原稿積載台３、スキャナー部４、プリンタ部５を備える。操作指示部２は、タッチパネル等を含んで構成されており、ユーザが操作指示を行うものである。原稿積載台３は、スキャナー部４で読込む原稿を積載するものである。この原稿積載台３には例えば図１で示した原稿が積載される。スキャナー部４は、原稿積載台３に載せられた原稿を後述するＣＣＤセンサで読み取り画像信号に変換し、その画像信号を所定の画像処理部へ出力する。プリンタ部５は、画像処理後の画像信号に基づき画像を出力する。
【００２５】
次に、コピー機１の概略構成について説明する。図６は、本実施例に係るコピー機の構成例を示す図である。図６に示すように、コピー機１は、スキャナー部４、プリンタ部５、画像処理部６、制御部７を備える。画像処理部６は、色変換処理、階調補正処理、精細度処理等を実施するとともに、原稿を読み取って入力されたディジタル画像信号から地肌濃度を検出し除去する等の各種処理を行う。この画像処理部が特許請求の範囲における画像処理装置に相当する。プリンタ部５は、画像処理部６にて補正、変換された画像データに基づき画像を形成し出力する。制御部７は、各部を制御する。
【００２６】
次に、本実施例に係るコピー機の詳細な構成について説明する。図７は本実施例に係るコピー機のブロック図である。図８は、地肌レベル検出部、原稿領域検出部の詳細ブロック図である。図７において、符号１はコピー機、４はスキャナー部、５はプリンタ部、６は画像処理部、７１領域設定部をそれぞれ示している。スキャナー部４は、ＣＣＤセンサ４１、Ａ／Ｄ変換器４２、シェーディング補正部４３を備える。ＣＣＤセンサ４１は、原稿積載台３に載せられた原稿を光学的に読み取り電気信号に変換する。Ａ／Ｄ変換器４２は、ＣＣＤセンサ４１で読み取った電気信号をディジタル画像信号に変換する。シェーディング補正部４３は、Ａ／Ｄ変換器４２で変換されたディジタル画像信号に対してシェーディング補正を行い、画像データおよび主走査／副走査同期信号を画像処理部６へ出力する。
【００２７】
画像処理部６は、前段色変換部６１、地肌レベル検出部６２、後段色変換部６３、地肌除去部６４、原稿領域検出部６５を備える。この画像処理部６は、例えば、ＣＰＵ（Central Processing Unit）、ＲＡＭ（Random Access Memory）、ＲＯＭ（Read Only Memory）等を用いて構成され、スキャナー部４から送られてきた画像信号の地肌濃度を検出して地肌除去処理等の処理を行う。前段色変換部６１は、画像データの色空間をＲＧＢ色空間からＬａｂ色空間へ変換する。
【００２８】
原稿領域検出部６５は、領域設定部７１からの領域設定値、スキャナー部４からの主走査同期信号および副走査同期信号に基づき任意の原稿エリアを検出し、このエリアに同期した領域信号を生成し、この領域信号を地肌レベル検出部６２へ出力する。
【００２９】
より詳細には、図８に示すように、原稿領域検出部６５は、主走査カウンタ６５１、副走査カウンタ６５２、領域判定処理部６５３を備える。主走査カウンタ６５１は、スキャナー部４から出力される主走査同期信号をカウントする。この主走査同期信号は１画素に対応した同期信号である。副走査カウンタ６５２は、スキャナー部４から出力される副査同期信号をカウントする。この副走査同期信号は１ラインに対応した同期信号である。領域判定処理部６５３は、主走査カウンタ６５１および副走査カウンタ６５２でカウントされた主走査同期信号および副走査同期信号、領域設定部７１で設定された領域設定値に基づき、領域設定座標値に一致する領域範囲の信号を領域信号として地肌レベル検出部６２へ出力する。この領域信号は複数ビットからなる。
【００３０】
地肌レベル検出部６２は、原稿領域検出部６５からの領域信号に基づいて、入力画像を所定の領域に分割し、各分割した領域に応じた原稿における文字や図形以外の地肌部分の濃度レベル（地肌レベル）を検出する。より詳細には、図８に示すように、地肌レベル検出部６２は、画像データセレクタ６２１、地肌補間処理部６２２等を備える。画像データセレクタ６２１は、画像領域検出部６５からの領域信号に基づき入力画像データの領域をセレクトし、第１の地肌検出領域Ａ、第２の地肌検出領域Ｂおよび第３の地肌検出領域Ｃに分割する。
【００３１】
図９は、地肌レベル検出部での領域分割について説明するための図である。図９に示すように、画像データセレクタ６２１は、領域判定処理６５３からの領域信号に基づき入力画像データを、（１）原稿浮きが発生しやすいエリア（第１の地肌検出領域Ａ）、（２）原稿浮きが発生しにくいエリア（第２の地肌検出領域Ｂ）、および（３）原稿浮きが発生しやすいエリア（第３の地肌検出領域Ｃ）に分割する。なお、図８では、３つの領域に分割する例を用いて説明したが、領域の数はこれに特定されるものではない。
【００３２】
次に、地肌レベル検出部６２は、この分割された領域毎にヒストグラムを作成し、文字や図形以外の地肌部分の地肌レベル（濃度レベル）を検出し、この地肌レベルを地肌データとして地肌補間処理部６２２へ出力する。地肌補間処理部６２２は、地肌検出領域Ａ〜Ｃの各地肌データに基づいて、領域の境界部でそれぞれの地肌検出レベルの値が不連続にならないように補間処理を行う。
【００３３】
図１０は、地肌補間処理部６２２での補間処理を説明するための図である。図１０において、横軸は主走査方向における地肌検出エリアを、縦軸は地肌検出レベル（濃度レベル）をそれぞれ示している。図１０に示す検出エリア（１１）は、図９に示した原稿浮きが発生しやすいエリア（１）に、検出エリア（１２）は原稿浮きが発生しにくいエリア（２）に、検出エリア（１３）は原稿浮きが発生しやすいエリア（３）にそれぞれ対応する。補間処理を行わない場合、検出エリア（１１）での地肌検出レベル（濃度レベル）は実線＊１に、検出エリア（１２）での地肌検出レベルは実線＊２に、検出エリア（１３）での地肌検出レベルは実線＊３にそれぞれ示すような値になる。地肌除去部６４で、この地肌データを用いて、地肌除去を行うと、地肌除去後の出力画像が不連続となってしなう。
【００３４】
そこで、地肌補間処理部６２２は、地肌除去後の出力画像が不連続とならないように、各地肌検出領域Ａ〜Ｃの境界部における地肌レベルに対して補間処理を施す。より詳細には、図１０に示すように、地肌補間処理部６２２は、検出エリア（１１）と検出エリア（１２）の境界での地肌検出レベルを破線＊４に示すように、検出エリア（１１）と検出エリア（１２）の境界部の地肌検出レベルが滑らかに変化するように濃度レベルを補正して補間処理を施す。また、地肌補間処理部６２２は、検出エリア（１２）と検出エリア（１３）の境界での地肌検出レベルを破線＊５に示すように、検出エリア（１１）と検出エリア（１２）の境界部の地肌検出レベルが滑らかに変化するように濃度レベルを補正して補間処理を施す。地肌補間処理部６２２は、補間後の各領域における地肌レベル信号を地肌除去部６４に出力する。
【００３５】
図７に戻り、後段色変換部６３は、Ｌ*ａ*ｂ*色空間からＹＭＣＫ色空間へ色空間の変換を行う。地肌除去部６４は、地肌レベル検出部６２が検出した領域毎の各地肌レベル信号に基づいて、分割した領域に対して階調補正（地肌除去）を行い、カブリのない画像に整形する。
【００３６】
領域設定部７１は、操作指示部２、制御部７を備え、地肌レベル検出部６２で分割する領域を設定する。ユーザは、操作指示部２を操作することにより地肌レベル検出部６２で分割する領域を設定することができる。制御部７は、操作指示部２の操作に応じて領域設定値を原稿領域検出部６５に出力する。
【００３７】
次に画像形成装置の動作について説明する。まず、ユーザは操作指示部２で分割する領域を設定し、原稿積載台３に図１で示した原稿を載せて、操作指示部２で所定の操作を行うことにより、ＣＣＤセンサ４１は原稿を読み取って電気信号に変換し、このアナログ電気信号をＡ／Ｄ変換器４２でディジタル信号に変換し、シェーディング補正部４３でこのディジタル信号に対してシェーディング補正を施して、画像データおよび主操作／副走査同期信号が画像処理部６へ入力される。前段色変換部は、画像データをＲＧＢ色空間からＬａｂ色空間へ色空間の変換を行う。
【００３８】
原稿領域検出部６５は、領域設定部７１からの領域設定値、スキャナー部４からの主走査同期信号および副走査同期信号に基づき任意の原稿エリアを検出し、このエリアに同期した領域信号を生成し、この領域信号を地肌レベル検出部６２へ出力する。
【００３９】
画像データセレクタ６２１は、原稿領域検出部６５からの領域信号に基づいて、所定の領域毎に画像データを分割する。地肌レベル検出部６２は、分割された領域毎に原稿における文字や図形以外の地肌部分の濃度レベルを検出し、領域毎の地肌データが地肌補間処理部６２２に入力され、地肌補間処理部６２２で補間処理が施され、補間後の地肌データが地肌レベル信号として地肌除去部６４へ出力される。後段色変換部６３は、地肌レベル検出部６２からの画像データをＬ*ａ*ｂ*色空間からＹＭＣＫ色空間に色空間の変換を行う。
【００４０】
地肌除去部６４は、地肌レベル検出部６２が検出した領域毎の地肌レベル信号に基づき、領域毎の地肌レベルに応じた地肌除去を行い、カブリのない画像に整形し、整形後の画像データおよび同期信号をプリンタ部５へ出力する。
【００４１】
プリンタ部５は、画像処理部６からの画像データに基づき画像を形成し出力する。図１１は、所定の用紙上の地肌除去後の画像を印字した結果を示す図である。図１１に示すように、浮きが発生している部分に対しては浮きかぶりを確実に除去し、浮きが発生していない部分に対しては薄い文字を犠牲にすること無く地肌除去できることが確認できる。なお、上記では、図１に示すような用紙を原稿として用いた場合の実施例について説明したが、本発明はこれに限定されることなく例えば本などを読み取る場合にも同様に適用できる。
【００４２】
図１２は、読取原稿として本を用いた例を説明する図である。図１２において、符号Ｂはブック原稿、２は原稿積載台をそれぞれ示している。図１２に示すように、読取原稿として本を用いる場合、書籍などでは中央の綴じている部分が原稿積載台と密着せず浮きが発生する。このため、読み取り時に中央の地肌の濃度が高くなり、出力すると中央部にカブリが発生する。従来の全面検出で地肌除去する方法では、全域でヒストグラムをとるため、中央部の浮きによるカブリは面積が小さく地肌として検出されず、地肌除去処理をおこなっても中央部のカブリが発生してしまう。
【００４３】
このため、本を読取原稿として用いる場合、画像データセレクタ６２１は、中央部分を境にして画像データを領域１〜領域３に分割し、地肌レベル検出部６２で、中央部の浮いている部分と、それ以外の部分をそれぞれ別々に地肌レベルを検出する。この検出結果をもとに、地肌除去部６４で地肌除去を行うことにより、中央部のカブリも適切に除去することが可能である。なお、この場合も地肌補間処理部６２２で補間処理を行うようにしてもよい。また、読取原稿が本であるかどうかを検出する際は、読取後の原稿画像から自動的に読取原稿が本であるかどうかを検出するようにしてもよいし、操作指示部２でユーザの操作を検出するようにしてもよい。
【００４４】
以上本実施例によれば、プリスキャン方式、プリスキャンレス方式を問わず、原稿の下地を検出するエリアを原稿浮きが発生する部分、発生しない部分に分割し、それぞれのエリアで下地レベルの検出を行い、検出したレベルに従い地肌の除去を実施することにより、自動原稿送り装置での原稿抑えが十分でない場合であっても、浮きが発生している部分に対しては浮きかぶりを確実に除去し、浮きが発生していない部分に対してはかぶり分のオフセットを用いないため、薄い文字、絵柄の再現を犠牲にすること無く地肌除去を実施することが可能となる。
【００４５】
なお、本実施例では、ユーザが操作指示部２で領域を設定し、この領域設定値に基づき地肌レベル検出部６２で所定の領域に分割するようにしているが、読取原稿画像から文字や絵等の領域を検出して、この領域に応じて地肌レベル検出部６２での分割する領域を自動で決定するようにしてもよい。また、本実施例では、地肌レベル検出部６２内で、領域分割、地肌補間処理の各処理を行うようにしているが、地肌レベル検出部とは別に、領域分割部、地肌補間処理部を設けてこれらの処理を行うようにしてもよい。
【００４６】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【００４７】
【図１】読取装置で読み取る原稿画像を示す図である。
【図２】原稿浮きが発生しやすいエリアを説明するための図である。
【図３】従来技術における不具合を説明するための図である。
【図４】従来技術における不具合を説明するための図である。
【図５】本実施例に係るコピー機の外観斜視図である。
【図６】本実施例に係るコピー機の構成例を示す図である。
【図７】本実施例に係るコピー機のブロック図である。
【図８】地肌レベル検出部、原稿領域検出部の詳細ブロック図である。
【図９】地肌レベル検出部での領域分割について説明するための図である。
【図１０】地肌補間処理部での補間処理を説明するための図である。
【図１１】所定の用紙上の地肌除去後の画像を印字した結果を示す図である。
【図１２】読取原稿として本を用いた例について説明する図である。
【符号の説明】
【００４８】
１  コピー機
２  操作指示部
３  原稿積載部
４  スキャナー部
５  プリンタ部
６  画像処理部
６２  地肌レベル検出部
６２１  画像データセレクタ
６２２  地肌補間処理部
６４  地肌除去部
６５  原稿領域検出部
６５１  主走査カウンタ
６５２  副走査カウンタ
６５３  領域判定処理部６５３
７  制御部
７１  領域設定部
【図１】
2005197982.tif 000003
【図２】
2005197982.tif 000004
【図３】
2005197982.tif 000005
【図４】
2005197982.tif 000006
【図５】
2005197982.tif 000007
【図６】
2005197982.tif 000008
【図７】
2005197982.tif 000009
【図８】
2005197982.tif 000010
【図９】
2005197982.tif 000011
【図１０】
2005197982.tif 000012
【図１１】
2005197982.tif 000013
【図１２】
2005197982.tif 000014